(57)【要約】【課題】複数の画像データが入力された際に、入力された画像データの原稿のサイズや色などの要件が変化したことを容易に確認できる画像表示装置及び制御プログラムを提供する。【解決手段】画像表示装置（１）において、スキャナ部（１０２）と、スキャナ部（１０２）により入力された画像データを記憶する記憶部（１０５）と、記憶部（１０５）から抽出された画像データをプレビュー表示する表示パネル（１３２）と、記憶部（１０５）から前後して抽出された画像データの入力要件を比較して変化があるか否かを判定する入力要件判定手段（１１１）と、入力要件判定手段（１１１）により抽出された画像データの入力要件に変化があったと判定された場合に、前に入力された画像データと後に入力された画像データとの変化の内容を表示手段に表示することを特徴とするものとする。【選択図】図２
2018139449.tif 000002
【特許請求の範囲】
【請求項１】
画像表示装置において、
ページ単位で複数ページの原稿の画像データを入力する画像データ入力手段と、
入力された画像データの入力要件と後に入力された画像データの入力要件とに変化があった場合に、変化があったことを表示手段に表示する表示制御手段と、
を備え、
前記表示制御手段は、
前に入力された画像データの入力要件と後に入力された画像データの入力要件に変化があった場合には、後に入力された画像データの原稿を排出し、前記画像データ入力手段による画像データの入力処理を中断して、前に入力された画像データと後に入力された画像データとの変化の内容を前記表示手段に表示することを特徴とする画像表示装置。
【請求項２】
前記前に入力された画像データと後に入力された画像データとの変化の内容を文字で前記表示手段に表示することを特徴とする請求項１に記載の画像表示装置。
【請求項３】
前記前に入力された画像データと後に入力された画像データとの変化の内容を画像で前記表示手段に表示することを特徴とする請求項１に記載の画像表示装置。
【請求項４】
前記前に入力された画像データと後に入力された画像データとの変化の内容と、原稿読み取り動作取り消しキーを前記表示手段に表示し、前記原稿読み取り動作取消しキーを選択すると、前記画像データ入力手段による画像データの入力処理をキャンセルすることを特徴とする請求項１から３のうち何れか一項に記載の画像表示装置。
【請求項５】
画像形成装置に用いることを特徴とする請求項１から４のうち何れか一項に記載の画像表示装置。
【請求項６】
画像表示装置を動作させる制御プログラムであって、
コンピュータにより、
ページ単位で複数ページの原稿の画像データを入力する機能と、
入力された画像データの入力要件と後に入力された画像データの入力要件とに変化があった場合に、変化があったことを表示する機能と、
前に入力された画像データの入力要件と後に入力された画像データの入力要件に変化があった場合には、後に入力された画像データの原稿を排出し、画像データの入力処理を中断して、前に入力された画像データと後に入力された画像データとの変化の内容を表示する機能と、
を実行させることを特徴とする制御プログラム。
【請求項７】
前記前に入力された画像データと後に入力された画像データとの変化の内容を文字で前記表示手段に表示する機能を実行させることを特徴とする請求項６に記載の制御プログラム。
【請求項８】
前記前に入力された画像データと後に入力された画像データとの変化の内容を画像で前記表示手段に表示する機能を実行させることを特徴とする請求項６に記載の制御プログラム。
【請求項９】
前記前に入力された画像データと後に入力された画像データとの変化の内容と、原稿読み取り動作取り消しキーを前記表示手段に表示し、前記原稿読み取り動作取消しキーを選択すると、前記画像データ入力手段による画像データの入力処理をキャンセルする機能を実行させることを特徴とする請求項６から８のうち何れか一項に記載の制御プログラム。
【請求項１０】
画像形成装置に搭載されて画像表示装置に用いることを特徴とする請求項６から９のうち何れか一項に記載の制御プログラム。
【発明の詳細な説明】
【技術分野】
【０００１】
本発明は、複写機やプリンタ、ファクシミリ等の電子写真方式の画像形成装置に用いられる画像表示装置及び制御プログラムに係り、特に、複数ページの原稿画像をプレビュー表示可能な画像表示装置及び制御プログラムに関する。
【背景技術】
【０００２】
従来、画像形成部やスキャナ等を備えたデジタル複合機は、スキャナから入力される原稿画像を画像データとして取り込み、その画像データをメモリに蓄えた状態で利用者が設定した部数などの条件に基づき画像記録を行い、記録物として完成させている。
【０００３】
このデジタル複合機において、スキャナにセットされる原稿が複数ページから構成される場合は、従来から提供されている自動原稿送り装置の原稿トレイ上に原稿束をセットすることで、スキャナの原稿読取部に向かって１枚ずつ供給され原稿の画像が読み取られる構成となっている。
【０００４】
このとき、順次読み取られる原稿において、前後する原稿を比較して、原稿画像の色（カラーまたは白黒）や原稿サイズ等が変化したことが確認されると、従来では、その時点でオペレータに対して実行確認を求めるなどの対応が装置側の処理として行われている。
【０００５】
従来技術として、例えば、画像形成装置において、操作されたコピースタートキーの色（カラーまたは白黒）と、実際に読み取られた原稿画像の色（カラーまたは白黒）とが異なる場合に、警告を報知して利用者に確認を求めるようにした技術が開示されている（特許文献１を参照）。
【０００６】
また、その他の例として、複数の原稿のスキャン中に原稿の特徴（共通の特徴：原稿サイズ、カラー原稿または白黒原稿）に変化が確認されると、読み取りを停止してその結果を利用者に報知して原稿の確認を求めるようにした技術や（特許文献２を参照）、スキャン中の原稿がカラーか白黒か判定しておき、カラー原稿についてのみ画像をプレビュー表示するようにした技術が開示されている（特許文献３を参照）。
【先行技術文献】
【特許文献】
【０００７】
【特許文献１】特開２００５−１８９５３７号公報
【特許文献２】特開平７−２３１４７号公報
【特許文献３】特開２００９−８８６９３号公報
【発明の概要】
【発明が解決しようとする課題】
【０００８】
しかしながら、上述した従来技術によると、利用者に対して原稿のサイズや色（カラーまたは白黒）の確認を求めるように報知するようにしたものであって、原稿の状況を報知した上での確認を求めるものではなかった。従って、利用者は原稿がどのような状況であるかを確認する必要があった。
【０００９】
本発明は、上記従来の課題に鑑みてなされたものであり、複数の画像データが入力された際に、入力された画像データの原稿のサイズや色などの要件が変化したことを容易に確認できる画像表示装置及び制御プログラムを提供することを目的とする。
【課題を解決するための手段】
【００１０】
本発明は、画像表示装置において、ページ単位で複数ページの画像データを入力する画像データ入力手段と、入力された画像データの入力要件と後に入力された画像データの入力要件に変化があった場合に、変化があったことを表示手段に表示する表示制御手段と、を備え、前記表示制御手段により、前に入力された画像データの入力要件と後に入力された画像データの入力要件に変化があった場合には、前記画像データ入力手段による画像データの入力処理を中断して、前に入力された画像データと後に入力された画像データとの変化の内容を前記表示手段に表示することを特徴とするものである。
【００１１】
また、本発明は、前に入力された画像データと後に入力された画像データとの変化の内容を文字で表示手段に表示することが好ましい。
【００１２】
また、本発明は、前に入力された画像データと後に入力された画像データとの変化の内容を画像で表示手段に表示することが好ましい。
【００１３】
また、本発明は、前に入力された画像データと後に入力された画像データとの変化の内容と、原稿読み取り動作取り消しキーを表示手段に表示し、原稿読み取り動作取消しキーを選択すると、画像データ入力手段による画像データの入力処理をキャンセルすることが好ましい。
【００１４】
また、本発明は、画像表示装置を画像形成装置に用いることが好ましい。
【００１５】
また、本発明は、画像表示装置を動作させる制御プログラムであって、コンピュータにより、ページ単位で複数ページの画像データを入力する機能と、入力された画像データの入力要件と後に入力された画像データの入力要件に変化があった場合に、変化があったことを表示する機能と、前に入力された画像データの入力要件と後に入力された画像データの入力要件に変化があった場合には、画像データの入力処理を中断して、前に入力された画像データと後に入力された画像データとの変化の内容を表示する機能と、を実行させることを特徴とするものである。
【００１６】
また、本発明は、前に入力された画像データと後に入力された画像データとの変化の内容を文字で表示手段に表示する機能を実行させるようにすることが好ましい。
【００１７】
また、本発明は、前に入力された画像データと後に入力された画像データとの変化の内容を画像で表示手段に表示する機能を実行させるようにすることが好ましい。
【００１８】
また、本発明は、前に入力された画像データと後に入力された画像データとの変化の内容と、原稿読み取り動作取り消しキーを表示手段に表示し、原稿読み取り動作取消しキーを選択すると、画像データ入力手段による画像データの入力処理をキャンセルする機能を実行させるようにすることが好ましい。
【００１９】
また、本発明は、画像形成装置に搭載されて画像データをページ単位で表示する画像表示装置に用いることが好ましい。
【発明の効果】
【００２０】
本発明の画像表示装置によれば、画像データをページ単位で表示する画像表示装置において、ページ単位で複数ページの画像データを入力する画像データ入力手段と、入力された画像データの入力要件と後に入力された画像データの入力要件に変化があった場合に、変化があったことを表示手段に表示する表示制御手段と、を備え、前記表示制御手段により、前に入力された画像データの入力要件と後に入力された画像データの入力要件に変化
があった場合には、前記画像データ入力手段による画像データの入力処理を中断して、変化があったことを前記表示手段に表示することで、画像データの入力要件に変化があったと判定された画像データと、基準となる画像データ、すなわち前記画像データの直前に入力された画像データ（前ページに位置する画像データ）とを併せて前記表示手段に表示することができるので、入力された画像データの入力要件がとのように変化したのかを容易に確認することができる。
【００２１】
また、本発明の制御プログラムによれば、画像データをページ単位で表示する画像表示装置を動作させる制御プログラムであって、コンピュータにより、ページ単位で複数ページの画像データを入力する機能と、入力された画像データを記憶する機能と、入力された画像データの入力要件と後に入力された画像データの入力要件に変化があった場合に、変化があったことを表示する機能と、前に入力された画像データの入力要件と後に入力された画像データの入力要件に変化があった場合には、画像データの入力処理を中断して、変化があったことを表示する機能と、を実行させることで、入力された画像データの入力要件がどのように変化したのかを容易に確認することができ、原稿画像に応じて最適な画像出力を実現できる。
【図面の簡単な説明】
【００２２】
【図１】本発明の実施形態に係る画像表示装置が用いられた画像形成装置の全体の構成を示す説明図である。
【図２】前記画像形成装置の構成を示すブロック図と通信回線を介して前記画像形成装置に接続される端末コンピュータを示す説明図である。
【図３】（ａ）は前記画像形成装置により読取る複数の原稿において原稿画像の色が異なる原稿が混在する例を示す説明図、（ｂ）は前記画像形成装置の表示パネルに基準原稿と原稿画像の色が異なる原稿と直前に読取られた原稿のプレビュー画像を並べて表示した状態を示す説明図、（ｃ）は前記画像形成装置の表示パネルに基準原稿と原稿画像の色が異なる原稿とその前後で読取られた原稿のプレビュー画像を並べて表示した状態を示す説明図である。
【図４】（ａ）は前記画像形成装置により読取る複数の原稿において原稿サイズが異なる原稿が混在する例を示す説明図、（ｂ）は前記画像形成装置の表示パネルに基準原稿と原稿サイズが異なる原稿と直前に読取られた原稿のプレビュー画像を並べて表示した状態を示す説明図、（ｃ）は前記画像形成装置の表示パネルに基準原稿と原稿サイズが異なる原稿とその前後で読取られた原稿のプレビュー画像を並べて表示した状態を示す説明図である。
【図５】前記画像形成装置における画像表示装置による複数原稿の読み取りと判定結果に基づきプレビュー表示を行う処理工程を示すフローチャートである。
【図６】前記画像形成装置における画像表示装置によるプレビュー表示後の画像データの処理工程を示すフローチャートである。
【発明を実施するための形態】
【００２３】
以下、本発明の第実施形態について図面を参照して説明する。
図１は発明を実施する形態の一例であって、本発明の実施形態に係る画像表示装置が用いられた画像形成装置の全体の構成を示す説明図である。
【００２４】
本発明の実施形態は、図１に示すように、画像データを入力するスキャナ部（画像データ入力手段）１０２と、スキャナ部１０２で読取られて入力される画像データをプレビュー表示する表示パネル（表示手段）１３２を備えた操作部１０３とを具備して、画像データをページ単位で表示する画像表示装置１を備えた画像形成装置１００において、画像表示装置１として、本発明に係る特徴的な画像表示装置の構成を採用したものである。
【００２５】
なお、本実施形態では、表示パネル１３２に表示される複数の原稿画像は、画像形成装置１００のスキャナ部１０２などから取り込まれた原稿の画像データ（処理単位毎の原稿束）をプレビュー表示するものとして説明するが、画像形成装置１００に取り込まれる画像データは、ネットワーク経由で接続される外部の端末コンピュータとの通信により入力される画像データや、メモリカードスロットや無線による通信で外部メモリに記憶されている画像データであってもよい。
【００２６】
また、本実施形態に係る画像形成装置１００は、画像表示装置１が搭載された画像形成装置であって、本発明に係る画像表示装置の適用は、このような画像形成装置以外の画像処理装置または電子機器であっても構わない。
【００２７】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００２８】
まず、本発明の実施形態に係る画像形成装置１００について説明する。
本実施形態に係る画像形成装置１００は、図１に示すように、主にスキャナ部１０２及び操作部１０３を備えて構成される画像表示装置１、プリンタ部１０４、給紙部１０６及び排紙部（排紙処理装置）１０８を備えて構成されている。
【００２９】
スキャナ部１０２は、装置本体上部に搭載されて原稿の画像情報を読取る。
操作部１０３は、装置本体上部の操作側（前面側）に設けられ、タッチパネルディスプレイ１３０と表示操作部１４０とを備えている。
【００３０】
タッチパネルディスプレイ１３０は、液晶パネル等で構成された表示パネル１３２と、表示パネル１３２に重ねて配置されたユーザの指で押圧された位置を検出するタッチパネル１３４とで構成される。
【００３１】
表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００３２】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成されている。
【００３３】
なお、画像形成装置１００は、このような構成の表示操作部１４０を備えるものに限定されず、タッチパネルディスプレイ１３０のみを備えるものであってもよい。
【００３４】
排紙部１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチング処理またはステープル処理を施して印刷物を作成する。
【００３５】
次に、本実施形態の特徴的な画像形成装置１００の構成についてブロック図を参照して説明する。
図２は本実施形態の画像形成装置の構成を示すブロック図と通信回線を介して前記画像形成装置に接続される端末コンピュータを示す説明図である。
【００３６】
本実施形態に係る画像形成装置１００は、図２に示すように、スキャナ部１０２、操作部１０３、プリンタ部１０４、記憶部１０５、給紙部１０６、制御部１０７、排紙部１０８、通信部１０９を備えている。
【００３７】
画像表示装置１は、主にスキャナ部１０２、操作部１０３、記憶部１０５、及び制御部１０７により構成されている。
【００３８】
スキャナ部１０２は、装置本体の上部に配置されて原稿の画像を読み取る。
操作部１０３は、装置に対する画像形成条件や開始指示を受け付けるとともに、表示パネル１３２を介して装置側から利用者に対して通知すべき情報などを通知する。
【００３９】
記憶部１０５は、図示しないＣＰＵによる演算および処理の結果を一時的に記憶するワーキングメモリとしての機能と、画像データを記憶するフレームメモリとしての機能とを有する。そして、装置外部から端末コンピュータなどによって装置に入力された画像データやスキャナ部１０２により読み取られた原稿の画像データなどを記憶する。
【００４０】
制御部１０７は、装置全体の動きを制御するとともに画像表示装置１の動作を制御する。そして、制御部１０７には、画像表示装置１に係る入力要件判定手段１１１と表示制御手段１１２とが具備されている。
【００４１】
入力要件判定手段１１１は、装置に取り込まれた原稿画像の画像データをページ単位で確認し、それぞれの原稿画像のページ単位で比較判定を行い、１ジョブの原稿画像中におけるページ単位の画像データの入力要件（例えば、原稿サイズ、原稿画像の色（カラーまたは白黒）など）に変化があるか否かの判定を行う。すなわち、入力要件判定手段１１１は、スキャナ部１０２により前後して読取られる原稿の画像データの入力要件を比較して、それらの画像データの入力要件に変化があるか否かの判定を行う。
【００４２】
本実施形態では、入力要件判定手段１１１は、スキャナ部１０２により読み取られた原稿の画像データの入力要件を判定する機能として、原稿サイズ情報に基づいて原稿サイズが変化したか否かを判定する機能（原稿サイズ判定機能）と、画像データの色情報（例えば、カラーまたは白黒）に基づいて原稿画像の色が変化したか否かを判定する機能（原稿画像色判定機能）を備えている。
【００４３】
表示制御手段１１２は、取り込まれた原稿画像の画像データ（入力要件を含む）を入力要件判定手段１１１によりページ単位で確認して、その入力要件判定手段の判定結果に基づき、入力された画像データの入力要件に変化があったと判定された場合に、画像データの入力要件に変化があったと判定された画像データと該画像データの直前に入力された画像データとを併せて表示パネル１３２に表示するように制御する。
【００４４】
なお、表示制御手段１１２は、入力要件判定手段１１１により画像データの入力要件に変化があったと判定された場合に、判定された画像データの直後に入力された画像データとを併せて表示パネル１３２に表示するように制御する機能を備えたものであってもよい。以上のように、画像表示装置１は構成されている。
【００４５】
プリンタ部１０４は、装置に入力される画像データに基づき画像の形成を行う。
給紙部１０６は、装置内部の用紙カセット（図示省略）に収納された記録用紙、または装置外部の手差トレイ（図示省略）に載置された記録用紙を１枚ずつ引出してプリンタ部１０４へ送り出す。
排紙部１０８は、装置において画像が形成された記録物を排出する。
【００４６】
通信部１０９は、外部の端末コンピュータＰＣと接続されて通信を可能にする。
具体的には、画像形成装置１００の通信部１０９には、画像データの送受信用に公衆回線が接続され、図示しないネットワークインターフェイスには、ネットワーク回線が接続されている。このネットワーク回線には、この画像形成装置１００をネットワーク対応のプリンタとして使用する外部の端末コンピュータＰＣが接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００４７】
次に、本実施形態の画像形成装置１００における原稿を読み込む時の画像表示装置１による特徴的な原稿画像のプレビュー表示について図面を参照して具体的に説明する。
【００４８】
（実施例１）
まず、画像形成装置１００において、読取る複数の原稿の中に原稿画像の色が異なる原稿が混在する場合について説明する。
図３（ａ）は本実施形態の画像形成装置により読取る複数の原稿において原稿画像の色が異なる原稿が混在する例を示す説明図、（ｂ）は前記画像形成装置の表示パネルに基準原稿と原稿画像の色が異なる原稿と直前に読取られた原稿のプレビュー画像を並べて表示した状態を示す説明図、（ｃ）は前記画像形成装置の表示パネルに基準原稿と原稿画像の色が異なる原稿とその前後で読取られた原稿のプレビュー画像を並べて表示した状態を示す説明図である。
【００４９】
実施例１では、画像形成装置１００に読取られる複数の原稿は、図３（ａ）に示すように、原稿Ａ１，Ｂ１，Ｄ１はカラーの原稿であり、原稿Ｃ１は白黒の原稿である。
【００５０】
原稿Ａ１，Ｂ１，Ｃ１，Ｄ１の画像データは、画像表示装置１のスキャナ部１０２に順次読み込まれて記憶部１０５に記憶される。そして、記憶された画像データ（原稿ページデータ）に基づき、入力要件判定手段１１１によって原稿画像の入力要件である原稿画像の色が前後する原稿の間で変化したか否かが順次判定される。
【００５１】
そして、入力要件判定手段１１１により、前ページまでの原稿Ａ１，Ｂ１の原稿画像がカラーであり、原稿Ｃ１の原稿画像が白黒であることで、原稿Ｃ１が前ページの原稿Ｂ１と原稿画像の色が異なることが判定される。
【００５２】
そして、その入力要件判定手段１１１の判定結果に基づき表示制御手段１１２によって、図３（ｂ）に示すように、表示パネル１３２上に原稿画像の色が他の原稿画像とは異なる白黒の原稿Ｃ１のプレビュー画像ＰＣ１と比較対象となる原稿Ｂ１のプレビュー画像ＰＢ１が表示される。
【００５３】
この時、表示パネル１３２には、確認を求める原稿Ｃ１のプレビュー画像ＰＣ１を示す矢印Ｈ１と、矢印Ｈ１に近接して原稿の確認を促す、例えば、「異なる原稿が検出されました。ご確認ください。」というコメントＨ２が表示される。
【００５４】
図中の符号１３５，１３６は、プレビュー表示を確認した利用者が原稿の読み取りを有効とするか、無効とするか確認入力を行うための「取消しキー」、「ＯＫキー」である。
【００５５】
以上のように、実施例１では、画像表示装置１により、原稿の入力要件である原稿画像の色の比較対象となる２枚目の原稿Ｂ１のプレビュー画像ＰＢ１と、確認を求める３枚目の原稿Ｃ１のプレビュー画像ＰＣ１を同時に表示している。これにより、複数ページからなる原稿Ａ１，Ｂ１，Ｃ１，Ｄ１の中で比較対象となる原稿Ｂ１と確認を求める原稿Ｃ１の原稿画像の色が異なることを容易に対比確認することができる。
【００５６】
なお、実施例１の変形例として、表示制御手段１１２によるプレビュー表示は、図３（ｃ）に示すように、確認を求める原稿Ｃ１の前ページの原稿Ｂ１のプレビュー画像ＰＢ１に加えて、後ページの原稿Ｄ１のプレビュー画像ＰＤ１を、確認を求めるプレビュー画像ＰＣ１を挟むように並べて表示するようにしてもよい。これにより、複数ページからなる原稿Ａ１，Ｂ１，Ｃ１，Ｄ１の中で確認を求める原稿Ｃ１が比較対象となる原稿Ｂ１，Ｄ１とどのように異なるかをさらに容易に確認することができる。
【００５７】
（実施例２）
次に、画像形成装置１００において、読取る複数の原稿の中に原稿サイズが異なる原稿が混在する場合について説明する。
図４（ａ）は本実施形態の画像形成装置により読取る複数の原稿において原稿サイズが異なる原稿が混在する例を示す説明図、（ｂ）は前記画像形成装置の表示パネルに基準原稿と原稿サイズが異なる原稿と直前に読取られた原稿のプレビュー画像を並べて表示した状態を示す説明図、（ｃ）は前記画像形成装置の表示パネルに基準原稿と原稿サイズが異なる原稿とその前後で読取られた原稿のプレビュー画像を並べて表示した状態を示す説明図である。
【００５８】
実施例２では、画像形成装置１００に読取られる複数の原稿は、図４（ａ）に示すように、原稿Ａ２，Ｂ２，Ｄ２はＡ４サイズの原稿であり、原稿Ｃ２はＢ５サイズの原稿である。
【００５９】
原稿Ａ２，Ｂ２，Ｃ２，Ｄ２の画像データは、画像表示装置１のスキャナ部１０２に順次読み込まれて記憶部１０５に記憶される。そして、記憶された画像データ（原稿ページデータ）に基づき、入力要件判定手段１１１によって原稿画像の入力要件である原稿サイズが前後する原稿の間で変化したか否かが順次判定される。
【００６０】
そして、入力要件判定手段１１１により、前ページまでの原稿Ａ２，Ｂ２の原稿サイズがＡ４サイズであり、原稿Ｃ２の原稿サイズがＢ５サイズであることで、原稿Ｃ２が前ページの原稿Ｂ２と原稿サイズが異なることが判定される。
【００６１】
そして、その入力要件判定手段１１１の判定結果に基づき表示制御手段１１２によって、図４（ｂ）に示すように、表示パネル１３２上に原稿画像の色が他の原稿画像とは異なる原稿サイズの原稿Ｃ２のプレビュー画像ＰＣ２と比較対象となる原稿Ｂ２のプレビュー画像ＰＢ２が表示される。
【００６２】
この時、表示パネル１３２には、確認を求める原稿Ｃ２のプレビュー画像ＰＣ２を示す矢印Ｈ１と、矢印Ｈ１に近接して原稿の確認を促す、例えば、「異なる原稿が検出されました。ご確認ください。」というコメントＨ２が表示される。
【００６３】
以上のように、実施例２では、画像表示装置１により、原稿の入力要件である原稿サイズの比較対象となる２枚目の原稿Ｂ２のプレビュー画像ＰＢ２と、確認を求める３枚目の
原稿Ｃ２のプレビュー画像ＰＣ２を同時に表示している。これにより、複数ページからなる原稿Ａ２，Ｂ２，Ｃ２，Ｄ２の中で、比較対象となる原稿Ｂ２と、確認を求める原稿Ｃ２とがどのように異なるかを容易に対比確認することができる。
【００６４】
なお、実施例２の変形例として、表示制御手段１１２によるプレビュー表示は、図４（ｃ）に示すように、確認を求める原稿Ｃ２の前ページの原稿Ｂ２のプレビュー画像ＰＢ２に加えて、後ページの原稿Ｄ２のプレビュー画像ＰＤ２を、確認を求めるプレビュー画像ＰＣ２を挟むように並べて表示するようにしてもよい。これにより、複数ページからなる原稿Ａ２，Ｂ２，Ｃ２，Ｄ２の中で確認を求める原稿Ｃ２が比較対象となる原稿Ｂ２，Ｄ２の原稿サイズが異なることをさらに容易に確認することができる。
【００６５】
次に、本実施形態の画像形成装置１００における複数原稿の読み取り時の原稿の判定について、フローチャートに沿って説明する。
図５は本実施形態の画像形成装置における画像表示装置による複数原稿の読み取りと判定結果に基づきプレビュー表示を行う処理工程を示すフローチャートである。
【００６６】
図５に示すように、画像形成装置１００において、画像表示装置１により複数原稿の読取が開始されると、スキャナ部１０２により原稿がページ単位で読み取られ（ステップＳ１）、記憶部１０５に原稿の画像データが記録される（ステップＳ２）。
【００６７】
そして、読取られた原稿が１ページ目であるか否かが判断される（ステップＳ３）。
ステップＳ３において、原稿が１ページ目であると判断された場合は、ステップＳ４に進み、原稿読取りが終了したか否かが判断される。
【００６８】
ステップＳ４において、原稿読取りが終了している場合は、原稿の読取り処理は終了する。ステップＳ４において、原稿読取りが終了していないと判断された場合は、ステップＳ１に戻り、再び原稿が読取られる。
【００６９】
一方、ステップＳ３において、原稿が１ページ目ではないと判断された場合は、入力要件判定手段１１１により、その原稿の画像データと先に読取られた原稿（前ページの原稿）の画像データとが比較されて（ステップＳ５）、その原稿と先に読取られた原稿の特徴、すなわち、入力要件（原稿サイズ、原稿画像の色（カラーまたは白黒）など）が同じか否か判定される（ステップＳ６）。
【００７０】
ステップＳ６において、その原稿と先に読取られた原稿の特徴、すなわち、入力要件（原稿サイズ、原稿画像の色（カラーまたは白黒）など）が同じと判定された場合は、ステップＳ４に戻る。
【００７１】
一方、ステップＳ６において、その原稿と先に読取られた原稿の入力要件が異なると判定された場合は、後に読取られた原稿を排出した後に、先に読取られた比較のための原稿画像（前ページの原稿画像）とともに入力要件が異なると判定された原稿画像が表示パネル１３２上にプレビュー表示される（ステップＳ７）。これにより、利用者は、入力要件が異なると判定された原稿が他の原稿とどうのように違うのかを容易に確認することができる。なお、後に読取られた原稿の排出を停止した後に、入力要件が異なると判定された原稿画像を表示パネル１３２上にプレビュー表示するようにしてもよい。
【００７２】
そして、ステップＳ８において、ＯＫキー１３６を押すか否かを選択する。ＯＫキー１３６を押すとステップＳ４に戻る。ＯＫキー１３６を押さない場合は、取消しキー１３５を押すか否かを選択する（ステップＳ９）。
【００７３】
取消しキー１３５を押すと原稿の読取り動作がキャンセルされて（ステップＳ１０）、原稿の読取り処理が終了する。取消しキー１３５を押さない場合は、ステップＳ８に戻り、装置は指示待ちの待機状態となる。
【００７４】
以上のようにして、画像表示装置１により複数の原稿読取りが行われ、読取られた原稿の入力要件の違いがあるか否かが判定されて表示パネル１３２上に表示されるので、利用者は容易に読取られた原稿の違いを確認することができる。
【００７５】
なお、本実施形態では、ステップＳ４において、原稿読取りが終了していない場合は、ステップＳ１に戻って、原稿を読取るようにしているが、本発明は、原稿の読取る手順を限定するものではなく、例えば、スキャナ部１０２において複数の原稿を読取り、読取った複数の原稿の画像データを記憶部１０５に記録して、比較する画像データを記憶部１０５より順次抽出して比較するようにしてもよい。
【００７６】
次に、上述した原稿の判定に続いて、画像形成装置１００における画像表示装置１によるプレビュー表示後の画像データの処理について、フローチャートに沿って説明する。
図６は本実施形態の画像形成装置における画像表示装置によるプレビュー表示後の画像データの処理工程を示すフローチャートである。
【００７７】
図６に示すように、画像表示装置１において、スキャナ部１０２において読取られた原稿の入力要件に基づき判定された原稿の画像が表示パネル１３２上にプレビュー表示さているか否かが判断される（ステップＳ１１）。
【００７８】
ステップＳ１１において、確認が求められる原稿の画像が表示パネル１３２上にプレビュー表示さている場合は、ＯＫキー１３６を押すか否かを選択する（ステップＳ１２）。
ステップＳ１２において、ＯＫキー１３６を押した場合は、用紙への画像記録処理が開始され（ステップＳ１３）、画像データの処理は終了する。
【００７９】
ステップＳ１２において、ＯＫキー１３６を押さない場合は、取消しキー１３５を押すか否かを選択する（ステップＳ１４）。
【００８０】
取消しキー１３５を押すと原稿の読取り動作がキャンセルされてメモリクリアとなり（ステップＳ１５）、画像データの処理は終了する。取消しキー１３５を押さない場合は、ステップＳ１２に戻り、装置は指示待ちの待機状態となる。
【００８１】
以上のようにして、画像表示装置１により、読取られた原稿の違いを明確に確認した後に、画像出力を行うことができる。
【００８２】
以上のように構成したので、本実施形態によれば、画像形成装置１００における画像表示装置１の構成に、入力要件判定手段１１１と表示制御手段１１２とを備えたことで、複数の原稿を読取る（入力する）場合に、前後する原稿の入力要件を比較して、原稿の入力要件の比較対象となる原稿のプレビュー画像と、確認を求める原稿のプレビュー画像とを同時に表示パネル１３２に表示するようにしたので、複数の原稿の中で比較対象となる原稿と、確認を求める原稿とがどのように異なるかを容易に対比確認することができる。
【００８３】
また、本実施形態では、入力要件判定手段１１１の構成として、スキャナ部１０２により読み取られた原稿の画像データの入力要件を判定する機能として、原稿サイズ情報に基づいて原稿サイズが変化したか否かを判定する機能（原稿サイズ判定機能）と、画像データの色情報（例えば、カラー、白黒）に基づいて原稿画像の色が変化したか否かを判定する機能（原稿画像色判定機能）を備えたことで、原稿の入力要件として原稿サイズ及び原
稿画像の色の違いを判定することができる。
【００８４】
そして、表示制御手段１１２により、入力要件判定手段１１１の判定結果に基づき、画像データの入力要件に変化があったと判定された画像データと、該画像データの直前に入力された画像データとを併せて表示パネル１３２に表示するようにしたので、入力要件が異なる原稿とがどのように異なるかを容易に対比確認することができる。
【００８５】
さらに、表示制御手段１１２の構成として、入力要件判定手段１１１により画像データの入力要件に変化があったと判定された場合に、判定された画像データの直後に入力された画像データとを併せて表示パネル１３２に表示するように制御する機能を備えることで、入力要件が異なる原稿とがどのように異なるかをさらに明確に対比確認することができる。
【００８６】
尚、上述した実施形態では、本発明に係る画像表示装置１を図１に示すような画像形成装置１００に適用した例について説明したが、印刷する前に表示パネル等に原稿画像をプレビュー表示するようにした画像形成装置であれば、上述したような構成の画像形成装置や複写機に限定されるものではなく、その他の画像形成装置等に展開が可能である。
【００８７】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【００８８】
１  画像表示装置
１００  画像形成装置
１０２  スキャナ部（画像データ入力手段）
１０３  操作部
１０４  プリンタ部
１０５  記憶部
１０６  給紙部
１０７  制御部
１０８  排紙部
１０９  通信部
１１１  入力要件判定手段
１１２  表示制御手段
１３０  タッチパネルディスプレイ
１３２  表示パネル（表示手段）
１３４  タッチパネル
１３５  取消しキー
１３６  ＯＫキー
１４０  表示操作部
Ａ１，Ａ２，Ｂ１，Ｂ２，Ｃ１，Ｃ２，Ｄ１，Ｄ２  原稿
Ｈ１  矢印
Ｈ２  コメント
ＰＢ１，ＰＢ２，ＰＣ１，ＰＣ２，ＰＤ２  プレビュー画像
【図１】
2018139449.tif 000003
【図２】
2018139449.tif 000004
【図３】
2018139449.tif 000005
【図４】
2018139449.tif 000006
【図５】
2018139449.tif 000007
【図６】
2018139449.tif 000008